(57)【要約】    【課題】履き心地及び耐久性に優れ、人の動作に追従しやすいウェーダー１２の提供。    【解決手段】ウェーダー１２は、トラウザー１４と、一対のブーツ１６とからなる。ブーツ１６は、防滑ソール２６、アウトソール２８、本体３０、インナー３２及び防水テープ３４を備えている。インナー３２はソックス状である。インナー３２は、足部３６及び脛部３８を備えている。足部３６は、本体３０に収容されている。脛部３８は、本体３０の開口４０よりも上方に延びている。脛部３８は、突出部４２ｔ、４２ｈを備えている。脛部３８は、軟質ゴム層を備えている。脛部３８の外周面のうち、開口５０の近傍は、裾２４の内周面と接合されている。防水テープ３４は、トラウザー１４とインナー３２とに跨って設けられている。【選択図】図２
2006183198.tif 000002
【特許請求の範囲】
【請求項１】
トラウザーと履き物部を備えており、
この履き物部が、本体と、この本体よりも軟質なインナーとを備えており、
このインナーが、ソックス状であって、かつ足部とこの足部に連続する脛部とを備えており、
この足部が本体に収容されており、かつ脛部が本体よりも上方に延びており、
この脛部とトラウザーの裾とが接合されることによりトラウザーと履き物部とが一体とされているウェーダー。
【請求項２】
上記インナーが、軟質ゴム層と、この軟質ゴム層の内面に積層されたジャージー層とを備えた請求項１に記載のウェーダー。
【請求項３】
上記脛部に蛇腹が形成されている請求項１又は２に記載のウェーダー。
【発明の詳細な説明】
【技術分野】
【０００１】
本発明は、釣り人等に着用されるウェーダーに関する。
【背景技術】
【０００２】
渓流の釣りでは、下半身が水につかった状態で釣りが行われる。鮎釣りやシーバスフィッシングでも、釣り人は水につかって釣りを行う。これらの釣りでは、釣り人はウェーダーを着用する。ウェーダーは、防水性である。ウェーダーは、釣り人の体や衣服が濡れることを防ぐ。
【０００３】
図５（ａ）は従来のウェーダーの一部が示された拡大図であり、図５（ｂ）はその断面図である。このウェーダーは、トラウザー２とブーツ４とからなる。図５には、トラウザー４の裾６の近傍が示されている。トラウザー２は、防水性の生地からなる。ブーツ４は、通常はゴム製である。裾６の内周面は、接着剤によってブーツ４の外周面と接合されている。裾６の外周面とブーツ４との外周面とに跨って、防水テープ８が巻かれている。トラウザー２とブーツ４とは、水密に接合されている。トラウザー２とブーツ４とを備えたウェーダーが、特開２００４−１６２２２５公報に開示されている。
【特許文献１】特開２００４−１６２２２５公報
【発明の開示】
【発明が解決しようとする課題】
【０００４】
ブーツ４には強度が必要なので、硬度の高いゴムが用いられている。釣り人がこのウェーダーを長時間着用すると、釣り人の脛や脹ら脛がブーツ４の開口１０の近傍と繰り返し擦れ合う。擦れ合いにより、釣り人は違和感を覚え、時には苦痛を感じることもある。このウェーダーは、履き心地に劣る。
【０００５】
釣り人は、歩行のとき、膝や足首を曲げる。トラウザー２は形状保持性を有さないので、歩行時に釣り人の脚と共に変形する。一方ブーツ４は、高硬度であるため変形しにくい。この結果、トラウザー２はブーツ４の開口１０の近傍において局部的に折り曲げられ、かつ引っ張られる。歩行が繰り返されることにより、開口１０の近傍においてトラウザー２が擦り切れることがある。この擦り切れによりトラウザー２に穴が開き、この穴からブーツ４に水が進入してしまう。穴が開いたウェーダーは、防水機能を発揮しないので、もはや使用に耐えない。
【０００６】
一般的に、ウェーダーが着用される釣りでは、釣り人は好ポイントを求めて広範囲を歩き回る。さらに釣り人は、岩に登る、しゃがむ等の動作を繰り返す。トラウザー２及びブーツ４は伸縮性に劣るので、釣り人の脚の動きに追従しにくい。ウェーダーは、釣り人の活動を妨げる。股下が十分長いウェーダーが着用されれば、釣り人の活動は妨げられない。しかし、股下が長いウェーダーではトラウザー２がブーツ４の開口１０に入り込んでしまう。
【０００７】
本発明の目的は、履き心地及び耐久性に優れ、人の動作に追従しやすいウェーダーの提供にある。
【課題を解決するための手段】
【０００８】
本発明に係るウェーダーは、トラウザーと履き物部を備える。この履き物部は、本体と、この本体よりも軟質なインナーとを備える。このインナーは、ソックス状である。このインナーは、足部とこの足部に連続する脛部とを備える。足部は、本体に収容されている。脛部は、本体よりも上方に延びている。この脛部とトラウザーの裾とが接合されることにより、トラウザーと履き物部とが一体とされている。
【０００９】
好ましくは、インナーは、軟質ゴム層とこの軟質ゴム層の内面に積層されたジャージー層とを備える。好ましくは、脛部に蛇腹が形成される。
【発明の効果】
【００１０】
このウェーダーでは、軟質なインナーが本体よりも上方に延びているので、歩行時に硬質な部材と釣り人の脚とが擦れ合うことがない。このウェーダーは、履き心地に優れる。このウエーダーでは、トラウザーが軟質なインナーと接続されているので、トラウザーの破損が生じにくい。このウェーダーは、耐久性に優れる。このウェーダーでは、釣り人の動作によってトラウザーが引っ張られると、インナーが伸張する。このウェーダーは、人の動作に追従しやすい。
【発明を実施するための最良の形態】
【００１１】
以下、適宜図面が参照されつつ、好ましい実施形態に基づいて本発明が詳細に説明される。
【００１２】
図１は、本発明の一実施形態に係るウェーダー１２が示された斜視図である。このウェーダー１２は、トラウザー１４と、一対のブーツ１６（履き物部）とからなる。トラウザー１４はブーツ１６と接合されており、トラウザー１４とブーツ１６とは一体となっている。
【００１３】
トラウザー１４は、尻部１８と、一対の脚部２０と、一対の肩ベルト２２とを備えている。トラウザー１４は、防水透湿生地からなる。この防水透湿生地により、外部からの水の進入が阻止され、汗の水蒸気が外部へと放出される。この防水透湿生地により、蒸れが抑制される。防水透湿生地の具体例としては、シマノ社の「ドライシールド」及びゴアテックス社の「ＧＯＲＥ−ＴＥＸ（登録商標）」が挙げられる。
【００１４】
図２は図１のウェーダー１２の一部が示された拡大図であり、図３はその分解図である。この図２及び図３には、トラウザー１４の脚部２０の一部と、ブーツ１６とが示されている。脚部２０の下端は、裾２４である。
【００１５】
ブーツ１６は、防滑ソール２６、アウトソール２８、本体３０、インナー３２及び防水テープ３４を備えている。図示されていないが、ブーツ１６がインソールを備えてもよい。アウトソール２８と本体３０との間に、他の部材が設けられてもよい。ブーツ１６に代えて、地下足袋又は靴が、履き物部として用いられてもよい。
【００１６】
防滑ソール２６は、フェルトからなる。フェルトは、濡れた岩場等におけるブーツ１６のスリップを防止する。防滑ソール２６は、面ファスナー（例えば「マジックテープ（登録商標）」）によってアウトソール２８に接合されている。防滑ソール２６は、アウトソール２８に対して着脱自在である。フェルトが摩滅した場合は、防滑ソール２６が交換されうる。
【００１７】
アウトソール２８は、ゴム組成物が架橋されてなる。アウトソール２８には、強度に優れたゴムが用いられる。好ましいゴムとしては、天然ゴム、ポリブタジエン及びスチレン−ブタジエン共重合体が例示される。アウトソール２８は、加硫接着によって本体３０と水密に接合されている。アウトソール２８が、接着剤によって本体３０と接合されてもよい。
【００１８】
本体３０は、ゴム組成物が架橋されてなる。典型的には、本体３０に天然ゴムが用いられる。本体３０に合成ゴムが用いられてもよい。本体３０が、ポリ塩化ビニル等の合成樹脂から成形されてもよい。本体３０は、強度及び剛性に優れる。本体３０の硬度Ｈｓは、４０以上６０以下が好ましい。硬度Ｈｓは、スプリング式硬度計（ＪＩＳ−Ａ型）によって測定される。本体３０の厚みは、０．５ｍｍ以上２ｍｍ以下が好ましい。
【００１９】
図３に示されるように、インナー３２はソックス状である。インナー３２は、足部３６及び脛部３８を備えている。脛部３８は足部３６と一体的に形成されており、足部３６から上方に延びている。図２から明らかなように、足部３６は本体３０に収容されており、本体３０の内周に沿っている。足部３６は、着用者の足の甲、踵、内側部及び外側部に当接する。脛部３８は、本体３０の開口４０よりも上方に延びている。脛部３８は、露出している。脛部３８は、着用者の足首、脛及び脹ら脛に当接する。
【００２０】
脛部３８の爪先側には、３本の突出部４２ｔが形成されている。突出部４２ｔは筋状であり、実質的に水平方向に延在している。複数の突出部４２ｔにより、蛇腹が構成されている。脛部３８の踵側にも同様の突出部４２ｈが形成されており、これによって蛇腹が形成されている。蛇腹は、脛部３８の伸縮性を高める。蛇腹が省略されてもよい。
【００２１】
図４は、図１のウェーダー１２の一部が示された拡大断面図である。この図４には、インナー３２、トラウザー１４の裾２４及び防水テープ３４が示されている。インナー３２は、軟質ゴム層４４と、この軟質ゴム層４４の内面に積層された第一ジャージー層４６と、この軟質ゴム層４４の外面に積層された第二ジャージー層４８とを備えている。軟質ゴム層４４の内面は、全面的に第一ジャージー層４６で覆われている。軟質ゴム層４４の外面は、開口５０の近傍において露出している。
【００２２】
軟質ゴム層４４には、基材ポリマーとして、ポリクロロプレンが用いられている。軟質ゴム層４４に、他のゴムが用いられてもよい。軟質ゴム層４４は、非透水性である。軟質ゴム層４４は、本体３０よりも柔軟であり、かつ伸縮性である。この軟質ゴム層４４により、ウェーダー１２の着用感が高められている。軟質ゴム層４４はさらに、保温性にも寄与する。軟質ゴム層４４の硬度Ｈｓは、６以上１５以下が好ましい。軟質ゴム層４４の厚みは、１ｍｍ以上１０ｍｍ以下が好ましい。
【００２３】
第一ジャージー層４６及び第二ジャージー層４８は、伸縮性である。典型的には、第一ジャージー層４６及び第二ジャージー層４８は、ナイロン糸からなる。軟質ゴム層４４の内面を第一ジャージー層４６が覆うことにより、インナー３２と着用者の足との摩擦係数が低減される。足とインナー３２との滑りがよいので、このウェーダー１２は履きやすく、かつ脱ぎやすい。第一ジャージー層４６により、ぬくもり感も発揮される。第一ジャージー層４６及び第二ジャージー層４８の厚みは、０．１ｍｍ以上１．０ｍｍ以下が好ましい。
【００２４】
インナー３２の脛部３８の外周面のうち、開口５０の近傍は、裾２４の内周面と接合されている。接合には、接着剤が用いられる。この接合により、トラウザー１４とブーツ１６（図２参照）とが一体をなしている。図４から明らかなように、裾２４と脛部３８とが積層される部分には、接合の確実の目的で、第二ジャージー層４８が設けられてはいない。
【００２５】
図４に示されているように、防水テープ３４は軟質ゴム層５２とジャージー層５４とを備えてる。軟質ゴム層５２の材質は、インナー３２の軟質ゴム層４４の材質と同等である。ジャージー層５４の材質は、第一ジャージー層４６及び第二ジャージー層４８の材質と同等である。
【００２６】
防水テープ３４の上側ほぼ半分は、裾２４の外周面と接合されている。接合には、接着剤が用いられる。防水テープ３４の下側ほぼ半分は、脛部３８の外周面と接合されている。接合には、接着剤が用いられる。換言すれば、防水テープ３４は、トラウザー１４とインナー３２とに跨って設けられている。この防水テープ３４により、トラウザー１４とインナー３２との確実な水密が達成されている。トラウザー１４とインナー３２との水密が確実である場合は、防水テープ３４が省略されてもよい。
【００２７】
防水テープ３４の下端の近傍は、糸５６によってインナー３２に縫い付けられている。この縫い付けにより、防水テープ３４のインナー３２からの剥がれが阻止される。この糸５６は、防水テープ３４を貫通し、軟質ゴム層４４に至っている。この糸５６は、軟質ゴム層４４を貫通していない。この縫合方法は、「すくい縫い」と称される。すくい縫いにより、インナー３２の非透水性が維持される。
【００２８】
このウェーダー１２が得られるには、まずラストがインナー３２で覆われる。次に、このインナー３２に、本体３０のゴム組成物及びアウトソール２８のゴム組成物が貼り付けられて予備成形体が得られる。このときインナー３２の脛部３８には、ゴム組成物は貼り付けられない。次に、この予備成形体が加熱される。加熱により、ゴムが架橋反応を起こす。架橋により、本体３０及びアウトソール２８が得られる。本体３０とアウトソール２８とは、加硫接着される。架橋時に、本体３０の内周面にインナー３２の足部３６が接合される。次に、インナー３２の脛部３８とトラウザー１４の裾２４とが接着剤で接合される。次に、脛部３８と裾２４とに跨って、防水テープ３４が貼り付けられる。さらに、アウトソール２８に防滑ソール２６が貼り付けられる。
【００２９】
このウェーダー１２を着用するとき、釣り人はトラウザー１４の脚部２０に自らの脚を通す。すると釣り人の足は、インナー３２の足部３６に収まる。釣り人の脛及び脹ら脛は、インナー３２の脛部３８と当接する。釣り人は、さらに肩ベルト２２を肩にかける。この状態で、釣り人は釣りを行う。
【００３０】
前述の通り、釣り人の脛及び脹ら脛は軟質なインナー３２で囲まれている。釣り人が歩行その他の動作を行っても、釣り人の脛及び脹ら脛は本体３０からの拘束を受けない。釣り人は違和感及び苦痛を覚えない。このウェーダー１２は、履き心地に優れる。
【００３１】
このウェーダー１２では、トラウザー１４はインナー３２と接合されており、トラウザー１４と本体３０とは離間している。インナー３２は軟質なので、釣り人の動作によってもトラウザー１４が局部的に折り曲げられることがない。トラウザー１４は、本体３０とは擦れ合わないので、擦り切れにくい。このウェーダー１２は、耐久性に優れる。
【００３２】
このウェーダー１２では、軟質ゴム層４４、第一ジャージー層４６及び第二ジャージー層４８が伸縮性なので、釣り人の動作によってトラウザー１４が引っ張られると、インナー３２が伸張する。蛇腹もまた、伸張に寄与する。このウェーダー１２は、人の動作に追従しやすい。釣り人の歩行、屈伸、前屈等の動作がウェーダー１２によって妨げられることはない。
【産業上の利用可能性】
【００３３】
本発明に係るウェーダーは、種々の釣り場において利用されうる。このウェーダーは、釣り以外の用途にも用いられうる。
【図面の簡単な説明】
【００３４】
【図１】図１は、本発明の一実施形態に係るウェーダーが示された斜視図である。
【図２】図２は、図１のウェーダーの一部が示された拡大図である。
【図３】図３は、図１のウェーダーが示された分解図である。
【図４】図４は、図１のウェーダーの一部が示された拡大断面図である。
【図５】図５（ａ）は従来のウェーダーの一部が示された拡大図であり、図５（ｂ）はその断面図である。
【符号の説明】
【００３５】
１２・・・ウェーダー
１４・・・トラウザー
１６・・・ブーツ
２０・・・脚部
２４・・・裾
２６・・・防滑ソール
２８・・・アウトソール
３０・・・本体
３２・・・インナー
３４・・・防水テープ
３６・・・足部
３８・・・脛部
４２ｔ、４２ｈ・・・突出部
４４・・・軟質ゴム層
４６・・・第一ジャージー層
４８・・・第二ジャージー層
５６・・・糸
【図１】
2006183198.tif 000003
【図２】
2006183198.tif 000004
【図３】
2006183198.tif 000005
【図４】
2006183198.tif 000006
【図５】
2006183198.tif 000007